(57)【要約】【課題】センサ応答性の低下を防止することができるガスセンサのヒータ制御装置を提供する。【解決手段】ここで開示されるガスセンサのヒータ制御装置は、センサ素子と、該センサ素子の少なくとも一部を覆う多孔質保護層と、該センサ素子を加熱するヒータ部とを含み、内燃機関の排気通路に配置されたガスセンサの該ヒータ部を昇温制御するヒータ制御装置である。このヒータ制御装置は、センサ素子を通常の制御温度まで昇温させる通常昇温処理（Ｓ１３）と、通常昇温処理とは異なり、ガスセンサに入り込んだ粒子状物質を除去するための特別な昇温制御を所定のタイミングで行う特別昇温処理（Ｓ１１）とを実行するように構成されている。【選択図】図４
2014025803.tif 000002
【特許請求の範囲】
【請求項１】
センサ素子と、該センサ素子の少なくとも一部を覆う多孔質保護層と、該センサ素子を加熱するヒータ部とを含み、内燃機関の排気通路に配置されたガスセンサの該ヒータ部を昇温制御するヒータ制御装置であって、
前記センサ素子を通常の制御温度まで昇温させる通常昇温処理と、
前記通常昇温処理とは異なり、前記ガスセンサに入り込んだ粒子状物質を除去するための特別な昇温制御を所定のタイミングで行う特別昇温処理と
を実行するように構成されている、ガスセンサのヒータ制御装置。
【請求項２】
走行中に前記内燃機関に対する燃料の供給が停止されるフューエルカット時もしくは停車時に前記内燃機関が一時的に停止されるアイドルストップ時において、前記特別昇温処理を行うように構成されている、請求項１に記載されたヒータ制御装置。
【請求項３】
前記特別昇温処理における制御温度は、前記通常の制御温度よりも所定値Ｔ２だけ高い温度に設定されている、請求項２に記載されたヒータ制御装置。
【請求項４】
前記所定値Ｔ２は、１０℃〜１００℃の範囲内に設定されている、請求項３に記載されたヒータ制御装置。
【請求項５】
前記特別昇温処理の継続時間が所定の基準タイムｔ３を上回った場合に、前記特別昇温処理を終了するように構成されている、請求項２から４までの何れか一項に記載されたヒータ制御装置。
【請求項６】
前記特別昇温処理の継続時間に対する基準タイムｔ３は、１０秒〜１００秒の範囲内に設定されている、請求項５に記載されたヒータ制御装置。
【請求項７】
前記内燃機関が停止してから所定時間ｔ１が経過した後、前記特別昇温処理を行うように構成されている、請求項１に記載されたヒータ制御装置。
【請求項８】
前記内燃機関停止後における所定時間ｔ１は、１０秒〜３０秒の範囲内に設定されている、請求項７に記載されたヒータ制御装置。
【請求項９】
前記特別昇温処理の継続時間が所定の基準タイムｔ２を上回った場合に、前記特別昇温処理を終了するように構成されている、請求項７または８に記載されたヒータ制御装置。
【請求項１０】
前記特別昇温処理の継続時間に対する基準タイムｔ２は、１０秒〜１００秒の範囲内に設定されている、請求項９に記載されたヒータ制御装置。
【請求項１１】
前記特別昇温処理における制御温度は、前記通常の制御温度と同じ温度かそれよりも所定値Ｔ１だけ高い温度に設定されている、請求項７から１０までの何れか一項に記載されたヒータ制御装置。
【請求項１２】
前記所定値Ｔ１は、１０℃〜１００℃の範囲内に設定されている、請求項１１に記載されたヒータ制御装置。
【請求項１３】
前記ガスセンサは、酸素イオン伝導性を有する固体電解質層が測定電極と基準電極とに挟持されており、前記測定電極上に金属酸化物からなる拡散抵抗層が形成され、前記拡散抵抗層の少なくとも一部を覆うように金属化合物からなる前記多孔質保護層が形成されている、請求項１から１２までの何れか一項に記載されたヒータ制御装置。
【請求項１４】
内燃機関から排出される排ガスを浄化する排ガス浄化触媒を該内燃機関の排気通路に配置した排ガス浄化装置であって、
センサ素子と、該センサ素子の少なくとも一部を覆う多孔質保護層と、該センサ素子を加熱するヒータ部とを含み、内燃機関の排気通路に配置されたガスセンサと、
請求項１から１３までの何れかに記載されたヒータ制御装置と
を備える、排ガス浄化装置。
【請求項１５】
前記ガスセンサは、前記排ガス浄化触媒よりも前記排気通路の下流側に配置されている、請求項１４に記載された排ガス浄化装置。
【発明の詳細な説明】
【技術分野】
【０００１】
本発明は、ガスセンサのヒータ制御装置に関する。
【背景技術】
【０００２】
従来から、大気中の特定のガスを検知するためセンサ素子を用いたガスセンサが使用されている。この種のガスセンサは、例えば自動車の排ガス中に含まれる炭化水素（ＨＣ）や酸素（Ｏ２）等の特定ガス成分の濃度を検知できるため、自動車エンジン等の内燃機関の排気通路に設けられ、内燃機関や排ガス浄化装置の制御に用いられている。
【０００３】
この種のセンサ素子を自動車用排ガスセンサに用いる場合、排ガス中の水滴がガスセンサに付着すると、部分急冷による熱応力が生じ、ガスセンサに割れが生じるという問題がある。その対策として、センサ素子の全周を多孔質保護層で覆い、被水してもガスセンサに直接水滴が当たらず、熱応力を緩和するという技術が提案されている（例えば、特許文献１及び２）。例えば特許文献１には、多孔質保護層を備えたガスセンサにおいて、多孔質保護層のヒータ側のエッジ部に面を形成することが提案されている。同文献には、かかる構成によって、多孔質保護層の剥離強度を向上し得ることが記載されている。
【先行技術文献】
【特許文献】
【０００４】
【特許文献１】特開２０１０−１０７４０９号公報
【特許文献２】特開２００７−１２１３２３号公報
【発明の概要】
【発明が解決しようとする課題】
【０００５】
近年、ガソリンエンジンと電動モータとを使い分けるハイブリッド車や、信号待ちなどの短い停車中にエンジンを停止させる車種など、いわゆるエコカーと呼ばれる低燃費自動車が開発されている。例えばハイブリッド車では、低速域や軽負荷領域では効率の低いエンジンを停止して、電動モーターのみで走行する。これにより、燃費の改善が図られている。これらの低燃費自動車では、エンジンの動作時間が減ることから、排ガス温度が低下する傾向にある。
【０００６】
ところで、エンジンから排出される排ガス中には、煤などの粒子状物質（パティキュレートマター、以下「ＰＭ」ともいう。）が含まれている。通常、ガスセンサは、エンジンの排気通路に配置されているため、エンジンから排出されたＰＭは排ガスの熱により燃焼除去され、その影響は小さく問題視されない。
【０００７】
しかしながら、前述した低燃費自動車の場合、エンジンの動作時間が減ることから、排ガス温度がそれほど高くならない。本発明者が得た知見によれば、排ガス温度が比較的低い低燃費自動車については、エンジンから排出されたＰＭが完全燃焼せず、ガスセンサに付着する場合があり得る。実際、本発明者がエコカーを模擬した加速試験（低回転、低負荷、リッチでの連続運転）を行ったところ、エンジンから排出されたＰＭが完全燃焼せず、ガスセンサの内部、特に多孔質保護層とセンサ素子との界面に多く蓄積していることが分かった（図８（ａ）及び（ｂ）参照）。このようなＰＭの蓄積は、ガスセンサの応答性を低下させる要因となり得る。本発明は、かかる課題を解決するものである。
【課題を解決するための手段】
【０００８】
本発明者は、ガスセンサを排気通路に配置した内燃機関において、ガスセンサの応答性を悪くする要因は、運転時に燃焼除去されなかったＰＭのガスセンサ内部への蓄積であることに思い至り、さらに、かかる蓄積を阻止する機構として、ガスセンサに入り込んだＰＭを除去するための特別な昇温制御を所定のタイミングで行うことが効果的であることを見出し、本発明を完成した。
【０００９】
すなわち、本発明によって提供されるガスセンサのヒータ制御装置は、センサ素子と、該センサ素子の少なくとも一部を覆う多孔質保護層と、該センサ素子を加熱するヒータ部とを含み、内燃機関の排気通路に配置されたガスセンサの該ヒータ部を昇温制御するヒータ制御装置であって、上記センサ素子を通常の制御温度まで昇温させる通常昇温処理と、上記通常昇温処理とは異なり、上記ガスセンサに入り込んだＰＭを排除するための特別な昇温制御を所定のタイミングで行う特別昇温処理とを実行するように構成されている。
【００１０】
ここで開示されるヒータ制御装置は、センサ素子を通常の制御温度まで昇温させる通常昇温処理とは異なり、センサ素子に入り込んだ粒子状物質（ＰＭ）を除去するための特別な昇温制御（特別昇温処理）を所定のタイミングで行うように構成されている。そのため、運転中に内燃機関から排出されたＰＭがガスセンサの内部に入り込んだとしても、適切なタイミングで上記特別昇温処理を行うことで、ガスセンサに入り込んだＰＭを燃焼除去することができる。したがって、本発明によると、ガスセンサ内部へのＰＭの蓄積が有効に抑えられ、高いセンサ特性を安定して発揮し得るガスセンサならびに該ガスセンサのヒータ制御装置を提供することができる。
【００１１】
ここで開示されるヒータ制御装置の好ましい一態様では、上記内燃機関が停止してから所定時間ｔ１が経過した後、上記特別昇温処理を行うように構成されている。内燃機関の停止後は、排気通路内に大気が流入してガスセンサ周辺の酸素量が増大する。このような酸素量が増大したタイミングで上述の特別昇温処理を行うことにより、ＰＭが効率よく燃焼する。
【００１２】
ここで開示されるヒータ制御装置の好ましい一態様では、上記内燃機関停止後における所定時間ｔ１は、１０秒〜３０秒の範囲内に設定されている。所定時間ｔ１が１０秒よりも短すぎると、排気通路内に流入した酸素量が足りず、ＰＭの燃焼が不十分になる場合がある。その一方、所定時間ｔ１が３０秒より長すぎると、ガスセンサ周辺の温度が下がり、センサ素子の加熱に多大なエネルギーが必要になる場合がある。
【００１３】
ここで開示されるヒータ制御装置の好ましい一態様では、上記特別昇温処理の継続時間が所定の基準タイムｔ２を上回った場合に、上記特別昇温処理を終了するように構成されている。上記特別昇温処理の継続時間に対する基準タイムｔ２は、例えば１０秒〜１００秒の範囲内に設定されている。継続時間の基準タイムｔ２が１０秒よりも短すぎると、センサ素子の昇温が不十分で、ＰＭが完全に除去できない場合があり、一方、基準タイムｔ２が１００秒よりも長すぎると、エネルギー消費が増えるとともに、上述したＰＭ除去効果も鈍化するためメリットがあまりない。
【００１４】
ここで開示されるヒータ制御装置の好ましい一態様では、上記特別昇温処理におけるセンサ素子の制御温度は、上記通常の制御温度（例えば７００℃）と同じ温度かそれよりも所定値Ｔ１だけ高い温度に設定されている。所定値Ｔ１は、典型的には１０℃〜１００℃の範囲内に設定されているとよい。このような特別昇温処理における制御温度とすることで、上述のＰＭの燃焼がより好適に行われる。
【００１５】
ここで開示されるヒータ制御装置の好ましい一態様では、走行中に上記内燃機関に対する燃料の供給が停止されるフューエルカット時もしくは停車時に上記内燃機関が一時的に停止されるアイドルストップ時において、上記特別昇温処理を行うように構成されている。フューエルカットもしくはアイドルストップの実行期間中は、排気通路内のガスセンサ周辺の酸素濃度が一時的に上昇する。このような酸素濃度が上昇したタイミングで上述の特別昇温処理を行うことにより、ＰＭが効率よく燃焼する。
【００１６】
ここで開示されるヒータ制御装置の好ましい一態様では、上記特別昇温処理におけるセンサ素子の制御温度は、上記通常の制御温度よりも所定値Ｔ２だけ高い温度に設定されている。所定値Ｔ２は、例えば１０℃〜１００℃の範囲内に設定されているとよい。所定値Ｔ２が低すぎると、ＰＭの燃焼が不十分になり、上述の効果が十分に発揮されない場合がある。一方、所定値Ｔ２が高すぎると、熱によりセンサ素子の劣化を引き起こす可能性がある。
【００１７】
ここで開示されるヒータ制御装置の好ましい一態様では、上記特別昇温処理の継続時間が所定の基準タイムｔ３を上回った場合に、上記特別昇温処理を終了するように構成されている。例えば特別昇温処理の継続時間に対する基準タイムｔ３は、例えば１０秒〜１００秒の範囲内に設定されている。かかる構成によると、ＰＭの燃焼除去が効率よく行われる。
【００１８】
ここで開示されるヒータ制御装置の好ましい一態様では、上記ガスセンサは、酸素イオン伝導性を有する固体電解質層が測定電極と基準電極とに挟持されており、上記測定電極上に金属酸化物からなる拡散抵抗層が形成され、上記拡散抵抗層の少なくとも一部を覆うように金属化合物からなる上記多孔質保護層が形成されている。多孔質保護層で拡散抵抗層を被覆したガスセンサは、多孔質保護層と拡散抵抗層との界面にＰＭが蓄積しやすい。したがって、上記ＰＭの蓄積を有効に阻止できる本発明のヒータ制御装置は、上記のような多孔質保護層で拡散抵抗層を被覆したガスセンサに対して、特に好適に適用され得る。
【図面の簡単な説明】
【００１９】
【図１】本発明の一実施形態に係る排ガス浄化装置を模式的に示した図である。
【図２】本発明の一実施形態に係るガスセンサを模式的に示した断面図である。
【図３】本発明の一実施形態に係るヒータ制御装置を模式的に示したブロック図である。
【図４】本発明の一実施形態に係る制御フローを示す図である。
【図５】本発明の一実施形態に係る制御フローを示す図である。
【図６】本発明の一実施形態に係る制御フローを示す図である。
【図７】本発明の一実施形態に係る制御フローを示す図である。
【図８】（ａ）は加速試験後における多孔質保護層と拡散抵抗層との境界を示す顕微鏡の写像であり、（ｂ）は多孔質保護層と拡散抵抗層との境界に堆積したＰＭ（ここでは炭素）の状態が分かるように（ａ）を画像処理した写像である。
【発明を実施するための形態】
【００２０】
以下、本発明の好適な実施形態を説明する。なお、本明細書において特に言及している事項以外の事柄であって本発明の実施に必要な事柄は、該分野における従来技術に基づく当業者の設計事項として把握され得る。本発明は、本明細書に開示されている内容と該分野における技術常識とに基づいて実施することができる。
【００２１】
（第１実施形態）
先ず、本発明の一実施形態に係る排ガス浄化装置の構成について図１を参照しつつ説明する。ここで開示される排ガス浄化装置は、該内燃機関の排気系に設けられている。図１は、内燃機関１と、該内燃機関１の排気系に設けられた排ガス浄化装置１００を模式的に示す図である。
【００２２】
Ａ．内燃機関
本実施形態に係る内燃機関（エンジン）には、酸素と燃料ガスとを含む混合気が供給される。内燃機関は、この混合気を燃焼させ、燃焼エネルギーを力学的エネルギーに変換する。このときに燃焼された混合気は排ガスとなって後述の排気系に排出される。図１に示す構成の内燃機関１は、自動車のガソリンエンジンを主体として構成されているが、ガソリンエンジン以外のエンジン（例えばディーゼルエンジン等）を用いることもできる。また、混合気ではなく、シリンダ内に直接燃料（ディーゼル燃料等）を噴射するようにしてもよい。
【００２３】
図１に示す構成の内燃機関（以下、エンジンという）１は、シリンダブロック１２上にシリンダヘッド１３が連結されている。シリンダブロック１２には、複数のシリンダボア１４が形成されている。シリンダボア１４には、ピストン１５がそれぞれ上下移動自在に嵌合している。シリンダブロック１２の下部には、クランクシャフト（図示せず）が回転自在に支持されている。各ピストン１５はコネクティングロッド１６を介してクランクシャフトにそれぞれ連結されている。以下では、一つの気筒についてのみ説明する。
【００２４】
燃焼室１７は、シリンダブロック１２とシリンダヘッド１３とピストン１５により構成されている。燃焼室１７には、それぞれ吸気ポート１８および排気ポート１９が連通している。吸気ポート１８と燃焼室１７との間には、吸気バルブ２０の下端部が位置している。かかる吸気バルブ２０の上下移動により、吸気ポート１８が開閉される。排気ポート１９と燃焼室１７との間には、排気バルブ２１の下端部が位置している。かかる排気バルブ２１の上下移動により、排気ポート１９が開閉される。以下の説明では、吸気ポート１８よりも上流側に設けられ、エンジン１に空気（酸素）を供給する系を「吸気系」と称し、排気ポート１９よりも下流側に設けられ、エンジン１で生じた排ガスを外部に排出する系を「排気系」と称する。
【００２５】
Ａ−１．吸気系
上記エンジン１の吸気系について説明する。上記エンジン１を吸気系に連通させる吸気ポート１８にはインテークマニホールド２２が接続されている。当該インテークマニホールド２２は吸気管２３に接続されており、吸気管２３にはエアクリーナ２４が接続されている。吸気管２３における下流側には、スロットル弁２５が設けられている。このスロットル弁２５を開閉することでエンジン１に供給される空気の量を調整できる。また、スロットル弁２５の近傍には、スロットル弁２５の開度を検出するスロットルセンサ（図示省略）が配置されてもよい。
【００２６】
Ａ−２．排気系
次に、エンジン１の排気系について説明する。上記エンジン１を排気系に連通させる排気ポート１９は、エキゾーストマニホールド２８が接続されている。エキゾーストマニホールド２８は、排ガスが流通する排気管２９に接続されている。エキゾーストマニホールド２８と排気管２９とにより本実施形態の排気通路（２８、２９）が形成されている。
【００２７】
Ｂ．排ガス浄化装置
ここで開示される排ガス浄化装置は、上記エンジン１の排気系に設けられている。この排ガス浄化装置は、触媒部４０とＥＣＵ３０とガスセンサ５０とを備え、上記排出される排ガスに含まれる有害成分（例えば、一酸化炭素（ＣＯ）、炭化水素（ＨＣ）、窒素酸化物（ＮＯｘ））を浄化する。
【００２８】
Ｂ−１．触媒部
次に、触媒部４０について詳細に説明する。触媒部４０は、上記エンジン１に連通する排気管２９に設けられており、具体的には図１に示すように、排気管２９の下流側に設けられている。触媒部４０の種類は特に限定されない。
【００２９】
Ｂ−２．ガスセンサ
触媒部４０よりも下流側の排気管２９には、ガスセンサ５０が配置されている。このガスセンサ５０は、触媒部４０よりも下流側の排気管２９に流れる排ガス中の特定ガス成分（ここでは酸素）の濃度を検出するセンサであり、排ガスの空燃比を検出するためのセンサである。ガスセンサ５０の配置位置は、上記排ガスの酸素濃度を測定できれば図１に図示される位置に限定されるものではない。かかるガスセンサ５０は、少なくとも空燃比がリッチ側またはリーン側にあることを検出できるセンサであればよい。この実施形態では、ガスセンサ５０は、排気ガス中の酸素濃度に応じてリニアに空燃比を検出するセンサ（例えば、限界電流式酸素センサ）である。ただし、これに限定されず、ガスセンサ５０として、センサ素子の起電力を出力する酸素センサを用いてもよい。なお、ガスセンサ５０は、触媒部４０よりも上流側の排気管２９に配置してもよい。また、その数は１つに限らず、複数のガスセンサ５０を配置してもよい。例えば、触媒部４０の上流側と下流側の双方に、それぞれガスセンサ５０を配置してもよい。
【００３０】
図２は、本実施形態のガスセンサの主要部の構成の一例を示す模式図であり、その横断面を示したものである。ガスセンサ５０は、排ガス中の酸素濃度を検出するためのセンサ素子６０と、センサ素子６０を加熱するためのヒータ部７０と、センサ素子６０の周囲を排ガス中の水分から防護する多孔質保護層５２と、から構成されている。 
【００３１】
Ｂ−２−１．センサ素子
センサ素子６０は、固体電解質体６２を備えている。固体電解質体６２は、酸素イオン伝導性を有する固体電解質から構成されている。かかる固体電解質としては、例えば、ジルコニア（例えば、イットリア安定化ジルコニア（ＹＳＺ））などが挙げられる。また、固体電解質体６２の外側には測定電極６４ａが形成されており、測定電極６４ａの外側には拡散抵抗層６６が形成されている。拡散抵抗層６６は、測定電極６４ａに対する排ガスの導入量を規制する層であり、排ガスは拡散抵抗層６６を通じて測定電極６４ａに到達する。拡散抵抗層６６の材料としては、アルミナ、ジルコニア、セリア等の多孔材を構成し得る材料を用いればよい。一方、固体電解質体６２の内側には、基準電極６４ｂが形成されており、基準電極６４ｂの内側には保護層６８が形成されている。保護層６８は、ここではアルミナから構成されている。基準電極６４ｂおよび測定電極６４ａは共に、白金等の触媒活性の高い貴金属から構成されている。
【００３２】
Ｂ−２−２．ヒータ部
ヒータ部７０は、アルミナを主体とする絶縁基体７２と、絶縁基体７２上に積層された発熱抵抗体７４とから構成されている。ジルコニア等からなる固体電解質体６２は、常温では絶縁性を示すが、高温環境下になると活性化され、高い酸素イオン伝導性を示すようになる。ヒータ部７０は、上記固体電解質体６２の加熱領域を形成してその活性化温度となるように加熱制御される。この実施形態では、ヒータ部７０は、固体電解質体６２の基準電極６４ｂ側において保護層６８の外側に配設されている。発熱抵抗体７４は、例えば、白金等の抵抗体から構成されている。
【００３３】
Ｂ−２−３．多孔質保護層
多孔質保護層５２は、多数のセラミックス粒子を結合させた多孔質体により構成されており、水分がセンサ素子６０に到達してセンサ素子６０が被水割れするのを抑制するために設けられている。多孔質保護層５２は、センサ素子６０およびヒータ７０の全周を覆うように設けられている。多孔質保護層５２は、例えば、アルミナ、スピネル、ムライト等を主体とする金属酸化物や炭化珪素等の金属炭化物などのセラミックス粒子から構成されている。必要に応じてセラミックス粒子に貴金属粒子（触媒）を担持させてもよい。かかる貴金属粒子としては、パラジウムやロジウムを単独で、もしくはパラジウム、ロジウムおよび白金のうちの２種以上の合金を使用することができる。これらの貴金属粒子は、多孔質保護層５２と拡散抵抗層６６との間に配置してもよい。
【００３４】
このように構成されたガスセンサ５０において、固体電解質体６２およびその両面にある一対の電極６４ａ、６４ｂは、両電極間の酸素濃度に応じて起電力を発生させる酸素濃度検出セルとして機能する。すなわち、一対の電極６４ａ、６４ｂに対し、酸素濃度差と電流がリニアな相関を有する電圧を印加し、一方の電極（測定電極）６４ａに被測定ガスを接触させ、他方の電極（基準電極）６４ｂには大気等の基準ガスを接触させ、双方の酸素濃度差に応じて電極間に生じる電流値を測定し、測定電流に基づいてエンジンの空燃比を検知することができる。 
【００３５】
Ｂ−３．制御部
制御部（ＥＣＵ：Engine Control Unit）３０は、主としてデジタルコンピュータから構成されており、排ガス浄化装置１００の稼働における制御装置として機能する。制御部３０は、例えば、読み込み専用の記憶装置であるＲＯＭ、読み書き可能な記憶装置であるＲＡＭ、任意の演算や判別を行うＣＰＵ、入力ポートおよび出力ポートを有している。制御部３０では、ガスセンサ５０への通電の制御が行われるとともに、ガスセンサ５０からの出力に基づき、エンジン１の空燃比フィードバック制御が行われる。例えば、制御部３０は、検出した吸入空気量、スロットル開度（またはアクセル開度）、エンジン回転数等のエンジン運転状態に基づいて、インジェクタ２６の燃料噴射タイミングや点火プラグ２７の点火時期等を制御することが可能である。
【００３６】
Ｃ：ヒータ制御装置
かかる排ガス浄化装置１００の一部として、本実施形態にかかるガスセンサ５０のヒータ制御装置８０が設けられている。以下、ヒータ制御装置８０について説明する。上述した制御部（ＥＣＵ）３０は、本発明に係るヒータ制御装置８０としても機能する。
【００３７】
図３は、本実施形態に係るヒータ制御装置８０の構成を示すブロック図である。図３に示すように、ヒータ制御装置８０は、ヒータ制御部８２を備えている。ヒータ制御部８２は、センサ素子６０を通常の制御温度まで昇温させる処理（通常昇温処理）を実行するように構成されている。また、ヒータ制御部８２は、通常昇温処理とは異なり、センサ素子６０に入り込んだＰＭを除去するための特別な昇温制御（特別昇温処理）を所定のタイミングで実行するように構成されている。特別昇温処理を行うタイミングは、エンジンの稼働中であってもよく、エンジンの停止後であってよい。この実施形態では、エンジンの停止後に特別昇温処理が行われる。
【００３８】
図３に示す構成のヒータ制御装置８０は、ヒータ駆動回路８４を備えている。ヒータ駆動回路８４は、制御部３０のＣＰＵに電気的に接続されている。また、ヒータ駆動回路８４は、ガスセンサ５０に設けられたヒータ部７０の発熱抵抗体７４に接続されている（図２参照）。ヒータ駆動回路８４は、ヒータ制御部８２からのパルス信号を受け、そのパルス信号に応じてバッテリの電圧を発熱抵抗体７４の両端へ印加する（ヒータ部７０に通電する）。これにより、発熱抵抗体７４を発熱させて、センサ素子６０を加熱する。
【００３９】
＜通常昇温処理＞
ヒータ制御部８２は、通常昇温処理を行う場合、ヒータ駆動回路８４に対して、通常昇温処理パルス信号を出力する。該信号を受信したヒータ駆動回路８４は、ヒータ制御部８２から出力された通常昇温処理パルス信号に応じて、発熱抵抗体７４（図２参照）の両端に電圧を印加する。これにより、発熱抵抗体７４を発熱させて、センサ素子６０を通常の制御温度まで昇温する。通常昇温処理における制御温度は、センサ素子６０が好適に活性化するような温度範囲内に設定することが好ましい。例えば、ガスセンサ５０が酸素センサの場合、５００℃〜６５０℃、好ましくは５００℃〜６００℃の温度範囲内に設定するとよい。また、ガスセンサ５０が全領域空燃比センサの場合、６５０℃〜８００℃、好ましくは７００℃〜８００℃の温度範囲内に設定するとよい。上述した制御温度の値は、あらかじめヒータ制御部８２に設定しておくとよい。
【００４０】
＜特別昇温処理＞
また、ヒータ制御部８２は、特別昇温処理を行うタイミングになると、ヒータ駆動回路８４に対して、特別昇温処理パルス信号を出力する。該信号を受信したヒータ駆動回路８４は、ヒータ制御部８２から出力された特別昇温処理パルス信号に応じて、発熱抵抗体７４の両端に電圧を印加する。これにより、発熱抵抗体７４（図２参照）を発熱させて、センサ素子６０を所定の制御温度まで昇温する。かかる特別昇温処理により、ガスセンサ５０の内部に入り込んだＰＭが燃焼除去され得る。特別昇温処理における制御温度は、ガスセンサ５０の内部に蓄積したＰＭが完全燃焼し得るような温度に設定することが好ましい。該温度が低すぎると、ガスセンサ５０の内部に蓄積したＰＭを完全燃焼させることが難しくなる。ガスセンサ５０の内部にＰＭが蓄積すると、センサ応答性が低下する要因になり得る。例えば、特別昇温処理における制御温度は、通常の制御温度と同じ温度であってもよいが、それよりも所定値Ｔ１（例えば１０℃以上、好ましくは２０℃以上、特に好ましくは３０℃以上）だけ高い温度に設定されていることが好ましい。このようにガスセンサ５０を通常の制御温度よりも高い温度まで昇温することで、ガスセンサ５０に蓄積したＰＭをより効果的に燃焼除去することができる。その一方で、上記所定値Ｔ１が高すぎると、熱によりセンサ素子の劣化を引き起こす可能性がある。この点からは、所定値Ｔ１は、１００℃以下が適当であり、好ましくは９０℃以下である。上述した制御温度の値は、あらかじめヒータ制御部８２に設定しておくとよい。
【００４１】
このように構成されたヒータ制御装置８０の動作について説明する。図４は、本実施形態に係るヒータ制御装置８０により実行される処理ルーチンの一例を示すフローチャートである。このルーチンは、所定時間毎に繰り返し実行される。
【００４２】
図４に示す処理ルーチンが実行されると、先ず、ヒータ制御部８２は、ステップＳ１０において、特別昇温処理を行うタイミングであるか否かを判定する。この判定は、後述する特別昇温処理の開始条件に基づいて行われる。特別昇温処理を行うタイミングであると判定した場合（ＹＥＳ）、ステップＳ１１に進み、特別昇温処理を実施する。すなわち、ヒータ制御部８２は、特別昇温処理パルス信号をヒータ駆動回路８４に出力し、該信号を受信したヒータ駆動回路８４は、ヒータ制御部８２から出力された特別昇温処理パルス信号に応じて、発熱抵抗体７４（図２参照）の両端に電圧を印加する。これにより、センサ素子６０を所定の制御温度まで昇温して、ガスセンサ５０に入り込んだＰＭを燃焼除去する。
【００４３】
一方、ステップＳ１０において、特別昇温処理を行うタイミングでないと判定した場合（ＮＯ）、ステップＳ１２に進む。ステップＳ１２では、ヒータ制御部８２は、通常昇温処理を行うタイミングであるか否かを判定する。この判定は、例えばエンジンの作動状況に基づいて行うとよい。例えば、エンジン作動中の場合には通常昇温処理を行うタイミングであると判定し、エンジン停止中の場合には通常昇温処理を行わないタイミングであると判定するとよい。ステップＳ１２で通常昇温処理を行うタイミングであると判定した場合（ＹＥＳ）には、ステップＳ１３に進む。ステップＳ１３では、通常昇温処理を実施する。すなわち、ヒータ制御部８２は、通常昇温処理パルス信号をヒータ駆動回路８４に出力し、該信号を受信したヒータ駆動回路８４は、ヒータ制御部８２から出力された通常昇温処理パルス信号に応じて、発熱抵抗体７４（図２参照）の両端に電圧を印加する。これにより、センサ素子６０が通常の制御温度に維持され、これ以降は通常のセンサ制御が行われる。一方、ステップＳ１２において、通常昇温処理を行うタイミングでないと判定した場合（ＮＯ）、今回の処理ルーチンを終了する。
【００４４】
＜特別昇温処理の開始条件＞
次に、特別昇温処理を行うタイミングについて説明する。この実施形態では、ヒータ制御部８２は、エンジン１が停止してから所定時間ｔ１が経過した後、特別昇温処理を行うように構成されている。
【００４５】
具体的には、図３に示すように、ヒータ制御部８２は、イグニッション（ＩＧ）スイッチ８６と電気的に接続されている。ヒータ制御部８２は、イグニッションスイッチ８６がオフになってから所定時間ｔ１が経過すると、ヒータ駆動回路８４に対して、特別昇温処理パルス信号を出力する。該信号を受信したヒータ駆動回路８４は、ヒータ制御部８２から出力された特別昇温処理パルス信号に応じて、センサ素子６０が所定の制御温度で維持されるように、発熱抵抗体７４（図２参照）の両端に電圧を印加する。これにより、発熱抵抗体７４を発熱させて、特別昇温処理を開始する。
【００４６】
エンジン停止後における所定時間ｔ１は、エンジン停止後に排気通路内に大気が流入してガスセンサ５０周辺の酸素量が十分に増大した後に、特別昇温処理を開始するように設定することが好ましい。例えば、所定時間ｔ１は、概ね１０秒以上、さらには１５秒以上、特には２０秒以上に設定することが望ましい。このようにガスセンサ５０周辺の酸素量が増大したタイミングで特別昇温処理を開始することにより、ＰＭが効率よく燃焼する。その一方で、所定時間ｔ１が長すぎると、ガスセンサ周辺の温度が下がり、センサ素子の加熱に多大なエネルギーが必要になる場合がある。この点からは、所定時間ｔ１は３０秒以下が適当であり、好ましくは２５秒以下である。
【００４７】
＜特別昇温処理の停止条件＞
また、ヒータ制御部８２は、特別昇温処理の継続時間が所定の基準タイムｔ２を上回った場合に、特別昇温処理を終了するように構成されている。特別昇温処理の継続時間に対する基準タイムｔ２は、センサ素子６０の内部に蓄積したＰＭを完全除去した後に、特別昇温処理を終了するように設定することが好ましい。例えば、特別昇温処理の継続時間に対する基準タイムｔ２は、概ね１０秒以上、好ましくは２０秒以上、特に好ましくは３０秒以上に設定することが望ましい。このように継続時間に対する基準タイムｔ２を設定することにより、ＰＭを完全除去し得る。一方、基準タイムｔ２が長すぎると、エネルギー消費が増えるとともに、上述したＰＭ除去効果も鈍化するためメリットがあまりない。基準タイムｔ２は、例えば１００秒以下が適当であり、好ましくは９０秒以下である。
【００４８】
このように構成されたヒータ制御装置８０の動作について説明する。図５は、この実施形態に係るヒータ制御装置８０により実行される特別昇温処理ルーチンの一例を示すフローチャートである。
【００４９】
図５に示す処理ルーチンが実行されると、先ず、ヒータ制御部８２は、ステップＳ２０において、エンジン停止要求の判定をする。この判定は、入力されるイグニッション信号に基づいて行われる。ヒータ制御部８２がイグニッション１６のエンジン停止要求信号を受信していない場合、「エンジン停止要求なし」と判定（ＮＯ）し、以下の制御を実施せずに処理ルーチンが終了する。一方、ヒータ制御部８２がイグニッション１６のエンジン停止要求信号を受信した場合は、「エンジン停止要求あり」と判定（ＹＥＳ）する。
【００５０】
上記エンジンのエンジン停止要求の判定結果がＹＥＳになると、ヒータ制御部８２は、内部タイマーをスタートさせて、エンジン停止後の時間の測定を開始する。そして、ステップＳ２１において、エンジン停止から所定時間ｔ１が経過したか否かを判定する。ここでの判定結果がＮＯの場合、所定時間ｔ１が経過するまでステップＳ２１を繰り返す。一方、判定結果がＹＥＳの場合、特別昇温処理を開始するタイミングであると判断し、次のステップＳ２２に進む。
【００５１】
ステップＳ２２では、ヒータ制御部８２は、特別昇温処理パルス信号をヒータ駆動回路８４に出力し、特別昇温処理を実行する。これにより、センサ素子６０が加熱されて所定の制御温度まで昇温する。また、ヒータ制御部８２は、内部タイマーをスタートさせて、特別昇温処理の継続時間の測定を開始する。そして、ステップＳ２３に進み、特別昇温処理の継続時間が所定の基準タイムｔ２に達したか否かを判定する。ここでの判定結果がＮＯの場合、ステップＳ２２に戻って特別昇温処理を続行する。一方、判定結果がＹＥＳの場合、特別昇温処理を終了させるタイミングであると判断し、ヒータ部７０への通電を停止して、特別昇温処理を終了する。このようにして、エンジン停止後の適切なタイミングで、特別昇温処理を行うことができる。
【００５２】
上記実施形態では、エンジンが停止してから所定時間ｔ１が経過した後、特別昇温処理が行われる。エンジン停止後は排気通路内に大気が流入してガスセンサ５０周辺の酸素量が増大するため、エンジン稼働中に特別昇温処理を行う場合に比べて、ＰＭを効率よく燃焼させることできる。
【００５３】
（第２実施形態）
以上、本発明の一実施形態にかかるヒータ制御装置８０において実行されるヒータ制御について説明した。次に、本発明の他の一実施形態にかかるヒータ制御装置８０によって実行可能なヒータ制御について説明する。
【００５４】
この実施形態では、制御部３０は、エンジン１で消費する燃料を削減するために、走行中にエンジン１に対する燃料の供給を一時的に停止するフューエルカット制御を行うように構成されている。より具体的には、制御部３０は、走行中に所定の条件が成立した場合に、フューエルカット制御を実行することを判断し、その判断に基づく停止信号をインジェクタ２６（図１）に出力する。インジェクタ２６は、上記停止信号によって該インジェクタ２６からの燃料の供給を停止する。上記フューエルカット制御の実行の判断は、例えば、冷却水の水温、エンジン回転数およびスロットル開度（アクセル開度）等の情報に基づいて行うとよい。例えば、冷却水温が所定温度以上であり、かつエンジン回転数が所定回転数以上の状態で、スロットル開度がゼロになることを条件として行うことができる。燃料供給の再開は、例えば、車速の低下に伴ってエンジン回転数が所定回転数以下となることを条件として行うことができる。
【００５５】
＜特別昇温処理の開始条件＞
かかるフューエルカットを実行可能なエンジン１において、ヒータ制御部８２は、フューエルカット時において、特別昇温処理を行うように構成されている。すなわち、ヒータ制御部８２は、フューエルカット制御がオンになると、ヒータ駆動回路８４に対して、特別昇温処理パルス信号を出力する。該信号を受信したヒータ駆動回路８４は、ヒータ制御部８２から出力された特別昇温処理パルス信号に応じて、センサ素子６０が所定の制御温度で維持されるように、発熱抵抗体７４（図２参照）の両端に電圧を印加する。これにより、発熱抵抗体７４を発熱させて、特別昇温処理を開始する。
【００５６】
＜特別昇温処理の終了条件＞
また、ヒータ制御部８２は、フューエルカット時の特別昇温処理の継続時間が所定の基準タイムｔ３１を上回った場合に、特別昇温処理を終了するように構成されている。上記フューエルカット時の特別昇温処理の継続時間に対する基準タイムｔ３１は、センサ素子６０の内部に蓄積したＰＭが完全燃焼した後に、特別昇温処理を終了するように設定することが好ましい。例えば、上記フューエルカット時の特別昇温処理の継続時間に対する基準タイムｔ３１は、概ね１０秒以上（例えば１０秒〜１００秒）、さらには２０秒以上、特には３０秒以上に設定することが望ましい。その一方で、基準タイムｔ３１が長すぎると、エネルギー消費が増えるとともに、上述したＰＭ除去効果も鈍化するためメリットがあまりない。基準タイムｔ３１は、例えば１００秒以下が適当である。
【００５７】
このように構成されたヒータ制御装置８０の動作について説明する。図６は、この実施形態に係るヒータ制御装置８０により実行される特別昇温処理ルーチンの一例を示すフローチャートである。
【００５８】
図６に示す処理ルーチンが実行されると、先ず、ヒータ制御部８２は、ステップＳ３０において、フューエルカットが実行中であるか否かを判定する。フューエルカットが実行中でない場合（ＮＯ）、以下の制御を実施せずに処理ルーチンが終了する。一方、ここでの判定結果がＹＥＳになると、ステップＳ３１に進み、ヒータ制御部８２は、特別昇温処理パルス信号をヒータ駆動回路８４に出力し、特別昇温処理を実行する。これにより、センサ素子６０が加熱されて所定の制御温度まで昇温する。また、ヒータ制御部８２は、内部タイマーをスタートさせて、特別昇温処理の継続時間の測定を開始する。次のステップＳ３２では、ヒータ制御部８２は、特別昇温処理の継続時間が所定の基準タイムｔ３１に達したか否かを判定する。ここでの判定結果がＮＯの場合、ステップＳ３１に戻って特別昇温処理を続行する。一方、判定結果がＹＥＳの場合、特別昇温処理を終了させるタイミングであると判断し、特別昇温処理を終了する。このようにして、フューエルカットの実行期間中に、特別昇温処理を行うことができる。
【００５９】
上記実施形態では、エンジン稼働中のフューエルカット時に特別昇温処理が行われる。フューエルカットの実行期間中は、排気通路内においてガスセンサ５０周辺の酸素濃度が一時的に上昇する。そのため、ガスセンサ５０に入り込んだＰＭを効率よく燃焼させることができる。また、上述した実施形態１とは異なり、エンジン停止後にヒータ制御装置を作動させる必要がないため、エンジン停止時のバッテリの使用を回避することができる。
【００６０】
（第３実施形態）
以上、本発明の一実施形態にかかるヒータ制御装置８０において実行されるヒータ制御について説明した。次に、本発明の他の一実施形態にかかるヒータ制御装置８０によって実行可能なヒータ制御について説明する。
【００６１】
この実施形態では、制御部３０は、エンジン１で消費する燃料を削減するために、信号待ち等の停車時にエンジン１が一時的に停止されるアイドルストップ制御を行うように構成されている。より具体的には、制御部３０は、走行中に所定の条件が成立した場合に、アイドルストップ制御を実行することを判断し、その判断に基づく停止信号をエンジン１（図１）に出力し、エンジン１を停止する。上記アイドルストップ制御の実行の判断は、例えば、車速、ブレーキペダルのオン／オフ、冷却水の水温、バッテリ残存量等の情報に基づいて行うとよい。
【００６２】
＜特別昇温処理の開始条件＞
かかるアイドルストップを実行可能なエンジン１において、ヒータ制御部８２は、アイドルストップ時において、特別昇温処理を行うように構成されている。すなわち、ヒータ制御部８２は、アイドルストップ制御がオンになると、ヒータ駆動回路８４に対して、特別昇温処理パルス信号を出力する。該信号を受信したヒータ駆動回路８４は、ヒータ制御部８２から出力された特別昇温処理パルス信号に応じて、センサ素子６０が所定の制御温度で維持されるように、発熱抵抗体７４（図２参照）の両端に電圧を印加する。これにより、発熱抵抗体７４を発熱させて、特別昇温処理を開始する。
【００６３】
＜特別昇温処理の終了条件＞
また、ヒータ制御部８２は、アイドルストップ時の特別昇温処理の継続時間が所定の基準タイムｔ３２を上回った場合に、特別昇温処理を終了するように構成されている。上記アイドルストップ時の特別昇温処理の継続時間に対する基準タイムｔ３２は、センサ素子６０の内部に蓄積したＰＭが完全燃焼した後に、特別昇温処理を終了するように設定することが好ましい。例えば、上記アイドルストップ時の特別昇温処理の継続時間に対する基準タイムｔ３２は、概ね１０秒以上（例えば１０秒〜１００秒）、さらには２０秒以上、特には３０秒以上に設定することが望ましい。その一方で、基準タイムｔ３２が長すぎると、エネルギー消費が増えるとともに、上述したＰＭ除去効果も鈍化するためメリットがあまりない。基準タイムｔ３２は、例えば１００秒以下が適当である。
【００６４】
このように構成されたヒータ制御装置８０の動作について説明する。図７は、この実施形態に係るヒータ制御装置８０により実行される特別昇温処理ルーチンの一例を示すフローチャートである。
【００６５】
図７に示す処理ルーチンが実行されると、先ず、ヒータ制御部８２は、ステップＳ４０において、アイドルストップ制御が実行中であるか否かを判定する。アイドルストップが実行中でない場合（ＮＯ）、以下の制御を実施せずに処理ルーチンが終了する。一方、ここでの判定結果がＹＥＳになると、ステップＳ４１に進み、ヒータ制御部８２は、特別昇温処理パルス信号をヒータ駆動回路８４に出力し、特別昇温処理を実行する。これにより、センサ素子６０が加熱されて所定の制御温度まで昇温する。また、ヒータ制御部８２は、内部タイマーをスタートさせて、特別昇温処理の継続時間の測定を開始する。次のステップＳ４２では、ヒータ制御部８２は、特別昇温処理の継続時間が所定の基準タイムｔ３２に達したか否かを判定する。ここでの判定結果がＮＯの場合、ステップＳ４１に戻って特別昇温処理を続行する。一方、判定結果がＹＥＳの場合、特別昇温処理を終了させるタイミングであると判断し、特別昇温処理を終了する。このようにして、アイドルストップの実行期間中に、特別昇温処理を行うことができる。
【００６６】
上記実施形態では、エンジン稼働中のアイドルストップ時に特別昇温処理が行われる。アイドルストップの実行期間中は、排気通路内においてガスセンサ５０周辺の酸素濃度が一時的に上昇する。そのため、ガスセンサ５０に入り込んだＰＭを効率よく燃焼させることができる。また、上述した実施形態１とは異なり、エンジン停止後にヒータ制御装置を作動させる必要がないため、エンジン停止時のバッテリの使用を回避することができる。
なお、上述のアイドルストップ時と、前述したフューエルカット時の双方において、特別昇温処理を行うように構成してもよい。
【００６７】
以上より、本発明によって提供されるガスセンサ５０のヒータ制御装置８０は、センサ素子６０を通常の制御温度まで昇温させる通常昇温処理と、通常昇温処理とは異なり、ガスセンサ５０に入り込んだＰＭを排除するための特別な昇温制御を所定のタイミングで行う特別昇温処理とを実行するように構成されている。そのため、運転中に内燃機関１から排出されたＰＭが燃焼除去されず、ガスセンサ５０の内部に入り込んだとしても、適切なタイミングで特別昇温処理を行うことで、ガスセンサ５０に入り込んだＰＭを燃焼除去することができる。したがって、本発明によると、ガスセンサのＰＭ被毒が有効に阻止され、ガスセンサの内部がクリーンな状態に維持される。かかるガスセンサ５０は、高いセンサ特性を安定して発揮し得る。
【００６８】
以上、本発明の具体例を詳細に説明したが、これらは例示にすぎず、請求の範囲を限定するものではない。請求の範囲に記載の技術には、以上に例示した具体例を様々に変形、変更したものが含まれる。
【００６９】
例えば、上述した実施形態では、ガスセンサ５０は、触媒部４０よりも排気通路の下流側に配置されていた。しかし、ガスセンサ５０の配置場所はこれに限定されない。例えば、ガスセンサ５０を触媒部４０よりも上流側の排気通路、例えばエキゾーストマニホールド２８に配置することもできる。ただし、上述した実施形態の如く、ガスセンサ５０を触媒部４０よりも下流側に配置した方が、触媒部４０の下流側は酸素濃度が特に上がりにくいことから、本発明の効果がより良く発揮され得る。
【符号の説明】
【００７０】
１      内燃機関（エンジン）
１６    イグニッション
２８    エキゾーストマニホールド
２９    排気管
３０    制御部
４０    触媒部
５０    ガスセンサ
５２    多孔質保護層
６０    センサ素子
６２    固体電解質体
６４ａ  測定電極
６４ｂ  基準電極
６６    拡散抵抗層
６８    保護層
７０    ヒータ部
７２    絶縁基体
７４    発熱抵抗体
８０    ヒータ制御装置
８２    ヒータ制御部
８４    ヒータ駆動回路
８６    イグニッションスイッチ
１００  排ガス浄化装置
【図１】
2014025803.tif 000003
【図２】
2014025803.tif 000004
【図３】
2014025803.tif 000005
【図４】
2014025803.tif 000006
【図５】
2014025803.tif 000007
【図６】
2014025803.tif 000008
【図７】
2014025803.tif 000009
【図８】
2014025803.tif 000010